(57)【要約】【課題】下方から空気を吸入して上方に向けて吹き出す軸流ファンを備えており、ベルマウスの外周側が外周板部によって囲まれた構成を有する上吹きタイプの室外ユニットにおいて、外周板部のうちベルマウスの外周側に対向する部分からの音の漏れを減らす。【解決手段】室外ユニット１は、室外ファン５と、ベルマウス５３と、ケーシング２と、多孔質材８とを備えている。ベルマウス５３は、室外ファン５の軸流羽根車５１の外周側を囲んでいる。ケーシング２は、天板２１、左板２２、右板２３、前板２４及び後板２５を有している。左板２２、右板２３、前板２４及び後板２５は、ベルマウス５３の外周側を囲んでいる。天板部２１は、ベルマウス５３に対応する吹出開口２１ａが形成されている。多孔質材８は、前板２４及び後板２５のベルマウス５３の外周側に対向する部分とベルマウス５３との間に配置されている。【選択図】図３
2007263386.tif 000002
【特許請求の範囲】
【請求項１】
下方から空気を吸入して上方に向けて吹き出すように配置された軸流羽根車（５１）を有する軸流ファン（５）と、
前記軸流羽根車の外周側を囲むベルマウス（５３）と、
前記ベルマウスの外周側を囲んでおり前記ベルマウスの外周側に対向する部分よりも下側に吸入開口（２２ａ、２３ａ、２５ｃ）が形成された外周板部（２２、２３、２４、２５）と、前記ベルマウスに対応する吹出開口（２１ａ）が形成されており前記外周板部の上端と前記ベルマウスの上端との間に形成される開口を覆う天板部（２１）とを有するケーシング（２）と、
前記外周板部のうち前記ベルマウスの外周側に対向する部分と前記ベルマウスとの間に配置された多孔質材（８）と、
を備えた空気調和装置の室外ユニット（１）。
【請求項２】
前記多孔質材（８）は、前記外周板部（２２、２３、２４、２５）のベルマウス側の面に装着されている、請求項１に記載の空気調和装置の室外ユニット（１）。
【請求項３】
前記多孔質材（８）は、前記外周板部（２２、２３、２４、２５）のうち前記軸流羽根車（５１）の軸中心（Ｏ）からの距離が最も短い部分に対応する位置に少なくとも配置されている、請求項１又は２に記載の空気調和装置の室外ユニット（１）。
【請求項４】
前記ケーシング（２）の平面視において、前記外周板部（２２、２３、２４、２５）のうち前記軸流羽根車（５１）の軸中心（Ｏ）からの距離が最も短い部分と前記軸流羽根車の最外周端との距離を隙間長さ（Ｌ）とすると、前記軸流羽根車の外半径（Ｒ）に対する前記隙間長さの比（Ｌ／Ｒ）は、０．１５以下である、請求項３に記載の空気調和装置の室外ユニット（１）。
【請求項５】
前記天板部（２１）は、平面視が略長方形状であり、
前記外周板部（２２、２３、２４、２５）は、前記天板部の周縁から下方に向かって延びる前板（２３）、左板（２２）、右板（２３）及び後板（２５）を有しており、
前記多孔質材（８）は、前記前板のベルマウス側の面、及び／又は、前記後板のベルマウス側の面に少なくとも装着されている、
請求項２に記載の空気調和装置の室外ユニット（１）。
【請求項６】
前記多孔質材（８）は、前記ケーシング（２）の平面視において、前記前板（２４）、前記左板（２２）、前記右板（２３）及び前記後板（２５）のうち前記多孔質材が装着されるもののベルマウス側の面の７０％以上を覆っている、請求項５に記載の空気調和装置の室外ユニット（１）。
【請求項７】
前記多孔質材（８）は、ポリエステル繊維を含む材料からなる、請求項１〜６のいずれかに記載の空気調和装置の室外ユニット（１）。
【発明の詳細な説明】
【技術分野】
【０００１】
本発明は、空気調和装置の室外ユニット、特に、下方から空気を吸入して上方に向けて吹き出す軸流ファンを備えた上吹きタイプの空気調和装置の室外ユニットに関する。
【背景技術】
【０００２】
従来より、空気調和装置の室外ユニットとして、下方から空気を吸入して上方に向けて吹き出す軸流ファンを備えた上吹きタイプのものがある。このような上吹きタイプの室外ユニットは、主として、略直方体形状のケーシングと、その内部に配置された圧縮機、熱交換器や軸流ファン等の機器とを備えている。ケーシングは、主として、天面を構成する天板と、外周面（ここでは、前面、左面、右面及び後面）を構成する外周板（ここでは、前板、左板、右板及び後板）と、底面を構成する底板とを有している。天板にはケーシング内から空気を吹き出すための吹出開口が形成されており、外周板にはケーシング内に空気を吸入するための吸入開口が形成されている。そして、ケーシングの上部には、吹出開口に対応するように軸流ファンが配置されており、軸流ファンの下側には、圧縮機や熱交換器が配置されている。軸流ファンは、主として、軸流羽根車と、軸流羽根車を回転駆動するファンモータとを有しており、軸流羽根車の外周側を囲むように略円筒形状のベルマウスが配置されている。このようなベルマウスとして、天板に形成された吸入開口の周縁から下方に向かって延びるように形成されたものがある。そして、この場合には、ベルマウスの外周側は外周板の上部によって囲まれるとともに、ベルマウスの上端と外周板の上端との間に形成される開口が天板によって覆われることになる（特許文献１参照）。
【特許文献１】特開２００４−１５６８２８号公報
【発明の開示】
【発明が解決しようとする課題】
【０００３】
上述の室外ユニットにおいて、軸流ファンの運転を開始すると、外周板の吸入開口を通じてケーシングの外周面からケーシング内に空気が吸入され、このケーシング内に吸入された空気は、熱交換器を通過した後に、ケーシング内を吸入開口の上側に配置された軸流羽根車によって昇圧されて上方に吹き出され、天板の吹出開口を通じてケーシングの天面からケーシング外に吹き出される。
【０００４】
このとき、軸流ファンの振動は、軸流羽根車の外周側を囲むベルマウスに伝達されることになるため、軸流ファンからベルマウスに伝達された振動は、ベルマウスが音源となって、ベルマウスと外周板との間の空間を伝達経路として、ベルマウスの外周側を囲む外周板のベルマウスの外周側に対向する部分に伝達され、最終的に、外周板から漏れるという現象が生じている。このような外周板からの漏れ音は、室外ユニットの騒音の原因の一つとなっている。
【０００５】
本発明の課題は、下方から空気を吸入して上方に向けて吹き出す軸流ファンを備えており、ベルマウスの外周側が外周板部によって囲まれた構成を有する上吹きタイプの室外ユニットにおいて、外周板部のうちベルマウスの外周側に対向する部分からの音の漏れを減らすことにある。
【課題を解決するための手段】
【０００６】
第１の発明にかかる空気調和装置の室外ユニットは、軸流ファンと、ベルマウスと、ケーシングと、多孔質材とを備えている。軸流ファンは、下方から空気を吸入して上方に向けて吹き出すように配置された軸流羽根車を有している。ベルマウスは、軸流羽根車の外周側を囲んでいる。ケーシングは、外周板部と、天板部とを有している。外周板部は、ベルマウスの外周側を囲んでおり、ベルマウスの外周側に対向する部分よりも下側に吸入開口が形成されている。天板部は、ベルマウスに対応する吹出開口が形成されており、外周板部の上端とベルマウスの上端との間に形成される開口を覆っている。多孔質材は、外周板部のうちベルマウスの外周側に対向する部分とベルマウスとの間に配置されている。
【０００７】
この空気調和装置の室外ユニットでは、多孔質材が、軸流ファンの振動に起因する音の伝達経路であるベルマウスと外周板部との間の空間に配置されることになるため、ベルマウスから外周板部に向かって伝達される軸流ファンの振動に起因する音が、この多孔質材によって吸収されて、外周板部のうちベルマウスの外周側に対向する部分からの音の漏れを減らすことができる。
【０００８】
第２の発明にかかる空気調和装置の室外ユニットは、第１の発明にかかる空気調和装置の室外ユニットにおいて、多孔質材は、外周板部のベルマウス側の面に装着されている。
この空気調和装置の室外ユニットでは、多孔質材が、外周板部のベルマウス側の面に装着されているため、室外ユニットの組立前から、外周板部を構成する部品に多孔質材を装着しておくことができるようになり、室外ユニットの組立性が向上する。
【０００９】
第３の発明にかかる空気調和装置の室外ユニットは、第１又は第２の発明にかかる空気調和装置の室外ユニットにおいて、多孔質材は、外周板部のうち軸流羽根車の軸中心からの距離が最も短い部分に対応する位置に少なくとも配置されている。
この空気調和装置の室外ユニットでは、多孔質材が、ベルマウスと外周板部との隙間が最も小さい部分に少なくとも配置されているため、音の漏れを効果的にかつ確実に防ぐことができる。
【００１０】
第４の発明にかかる空気調和装置の室外ユニットは、第３の発明にかかる空気調和装置の室外ユニットにおいて、ケーシングの平面視において、外周板部のうち軸流羽根車の軸中心からの距離が最も短い部分と軸流羽根車の最外周端との距離を隙間長さとすると、軸流羽根車の外半径に対する隙間長さの比は、０．１５以下である、請求項３に記載の空気調和装置の室外ユニット。
【００１１】
この空気調和装置の室外ユニットは、軸流羽根車の外半径に対する隙間長さの比が０．１５以下という、ベルマウスと外周板部との隙間が非常に小さい部分を有しているが、このような場合であっても、多孔質材が、軸流羽根車の外半径に対する隙間長さの比が０．１５以下の部分に少なくとも配置されているため、音の漏れを効果的にかつ確実に防ぐことができる。
【００１２】
第５の発明にかかる空気調和装置の室外ユニットは、第２の発明にかかる空気調和装置の室外ユニットにおいて、天板部は、平面視が略長方形状である。外周板部は、天板部の周縁から下方に向かって延びる前板、左板、右板及び後板を有している。多孔質材は、前板のベルマウス側の面、及び／又は、後板のベルマウス側の面に少なくとも装着されている。
この空気調和装置の室外ユニットでは、音の漏れが生じた際に目立つ前板や後板からの音の漏れを防ぐことができるようになる。特に、室外ユニットを複数台並べて配置する等のように、左板や右板からの音の漏れが少なくなるように室外ユニットが配置される場合には、前板や後板からの音の漏れを効果的に防ぐことができる。
【００１３】
第６の発明にかかる空気調和装置の室外ユニットは、第５の発明にかかる空気調和装置の室外ユニットにおいて、多孔質材は、ケーシングの平面視において、前板、左板、右板及び後板のうち多孔質材が装着されるもののベルマウス側の面の７０％以上を覆っている。
この空気調和装置の室外ユニットでは、多孔質材が装着された板からの音の漏れを確実に防ぐことができる。
【００１４】
第７の発明にかかる空気調和装置の室外ユニットは、第１〜第６の発明のいずれかにかかる空気調和装置の室外ユニットにおいて、多孔質材は、ポリエステル繊維を含む材料からなる。
【００１５】
この空気調和装置の室外ユニットでは、主として、ポリエステル繊維によって形成された多数の細孔中で音を吸収することができるため、ベルマウスから外周板部に向かって伝達される軸流ファンの振動に起因する音を効率的に吸収することができる。
【発明の効果】
【００１６】
以上の説明に述べたように、本発明によれば、以下の効果が得られる。
第１の発明では、ベルマウスから外周板部に向かって伝達される軸流ファンの振動に起因する音が、この多孔質材によって吸収されて、外周板部のうちベルマウスの外周側に対向する部分からの音の漏れを減らすことができる。
第２の発明では、室外ユニットの組立前から、外周板部を構成する部品に多孔質材を装着しておくことができるようになり、室外ユニットの組立性が向上する。
【００１７】
第３の発明では、多孔質材が、ベルマウスと外周板部との隙間が最も小さい部分に少なくとも配置されることになるため、音の漏れを効果的にかつ確実に防ぐことができる。
第４の発明では、軸流羽根車の外半径に対する隙間長さの比が０．１５以下という、ベルマウスと外周板部との隙間が非常に小さい部分を有しているにもかかわらず、音の漏れを効果的にかつ確実に防ぐことができる。
【００１８】
第５の発明では、音の漏れが生じた際に目立つ前板や後板からの音の漏れを防ぐことができるようになる。特に、左板や右板からの音の漏れが少なくなるように室外ユニットが配置される場合には、前板や後板からの音の漏れを効果的に防ぐことができる。
第６の発明では、多孔質材が装着された板からの音の漏れを確実に防ぐことができる。
第７の発明では、ベルマウスから外周板部に向かって伝達される軸流ファンの振動に起因する音を効率的に吸収することができる。
【発明を実施するための最良の形態】
【００１９】
以下、図面に基づいて、本発明にかかる空気調和装置の室外ユニットの実施形態について説明する。
（１）室外ユニットの全体構成
図１〜図６に本発明の一実施形態にかかる空気調和装置の室外ユニット１を示す。室外ユニット１は、例えば、ビルの屋上等に設置されており、図示しない室内ユニットに冷媒連絡管を介して接続されている。ここで、図１は、ファングリル２７を取り除いた状態における室外ユニット１の外観斜視図である。図２は、ファングリル２７、天板２１（後述）、前板２４（後述）、室外ファン用羽根車５１及び冷媒回路部品の一部を取り除いた状態における室外ユニット１の斜視図である。図３は、右板２３（後述）を取り除いた状態おける室外ユニット１の側面図である。図４は、ファングリル２７及び天板２１を取り除いた状態における室外ユニット１の平面図である。図５は、図４のＡ−Ａ断面図であって、天板２１、ベルマウス５３及び上部前板２４ａを示す図である。図６は、図４のＢ−Ｂ断面図であって、天板２１、ベルマウス５３及び上部後板２５ａを示す図である。尚、これらの図においては、説明を容易にするために、冷媒配管等の図示を省略している。また、図４における点Ｏは、室外ファン５の回転中心を示している。さらに、以下の説明における「左」及び「右」とは、前板２４側から室外ユニット１を見た場合を基準とする。
【００２０】
室外ユニット１は、下方から空気を吸入して上方に向かって空気を吹き出す、いわゆる、上吹きタイプのものであり、本実施形態において、主として、ケーシング２と、ケーシング２の内部に配置される圧縮機３及び熱交換器４等の冷媒回路部品や室外ファン５等の機器とを備えている。
（２）ケーシングの基本構成
ケーシング２は、本実施形態において、略直方体形状の箱体であり、主として、ケーシング２の天面を構成する天面部としての天板２１と、ケーシング２の外周面を構成する外周面部としての左板２２、右板２３、前板２４及び後板２５と、底板２６とから構成されている。
【００２１】
天板２１は、主として、ケーシング２の天面を構成する部材であり、本実施形態において、略中央に吹出開口２１ａが形成された平面視が略長方形状の金属製の板状部材である。これにより、ケーシング２内に吸入された空気は、吹出開口２１ａから上方に吹き出されるようになっている。天板２１には、吹出開口２１ａを上方から覆うようにファングリル２７が設けられている。ファングリル２７は、本実施形態において、鋼線が格子状に組まれた部材である。
【００２２】
左板２２は、主として、ケーシング２の左面を構成する部材であり、本実施形態において、天板２１の左縁から下方に延びる側面視が略長方形状の金属製の板状部材である。左板２２には、上部を除くほぼ全体に吸入開口２２ａが形成されている。これにより、この吸入開口２２ａからケーシング２内に空気が吸入されるようになっている。また、本実施形態において、左板２２の前端部は、その上端から下端にわたって、右方向、後方向、右方向の順に折り曲げられており、この部分が、ケーシング２の左前側の角部に対応する左前側支柱部２２ｂとなっている。また、左板２２の後端部は、その上端から下端にわたって、右方向、前方向、右方向の順に折り曲げられており、この部分が、ケーシング２の左後側の角部に対応する左後側支柱部２２ｃとなっている。
【００２３】
右板２３は、主として、ケーシング２の右面を構成する部材であり、本実施形態において、天板２１の右縁から下方に延びる側面視が略長方形状の金属製の板状部材である。右板２３には、上部を除くほぼ全体に吸入開口２３ａが形成されている。これにより、この吸入開口２３ａからもケーシング２内に空気が吸入されるようになっている。また、本実施形態において、右板２３の前端部は、その上端から下端にわたって、左方向、後方向、左方向の順に折り曲げられており、この部分が、ケーシング２の右前側の角部に対応する右前側支柱部２３ｂとなっている。また、右板２３の後端部は、その上端から下端にわたって、左方向、前方向、左方向の順に折り曲げられており、この部分が、ケーシング２の右後側の角部に対応する右後側支柱部２３ｃとなっている。
【００２４】
前板２４は、主として、ケーシング２の前面を構成する部材であり、本実施形態において、天板２１の前縁から下方向に順に配置された正面視が略長方形状の３つの金属製の板状部材から構成されている。より具体的には、前板２４は、主として、天板の前縁から下方向に延びる上部前板２４ａと、上部前板２４ａの下側に配置される中部前板２４ｂと、中部前板２４ｂの下側に配置される下部前板２４ｃとを有している。上部前板２４ａは、天板２１の前縁から下方に延びており、その下端が吸入開口２２ａ、２３ａの上端まで達しない程度の高さ位置まで達している。そして、上部前板２４ａは、その左端が左板２２の左前側支柱部２２ｂにネジ止め等により固定されており、その右端が右板２３の右前側支柱部２３ｂにネジ止め等により固定されている。中部前板２４ｂは、上部前板２４ａの下端から下方に延びており、その下端がケーシング２の上下方向略中央付近の高さ位置まで達している。そして、中部前板２４ｂは、その左端が左板２２の左前側支柱部２２ｂにネジ止め等により固定されており、その右端が右板２３の右前側支柱部２３ｂにネジ止め等により固定されている。下部前板２４ｃは、中部前板２４ｂの下端から下方に延びており、その下端が底板２６の前縁まで達している。そして、下部前板２４ｃは、その左端が左板２２の左前側支柱部２２ｂにネジ止め等により固定されており、その右端が右板２３の右前側支柱部２３ｂにネジ止め等により固定されている。このように、本実施形態において、前板２４は、上部前板２４ａ、中部前板２４ｂ及び下部前板２４ｃの上中下の３分割の構造になっているため、室外ユニット１の組立時に、大きな前板を左板２２及び右板２３に装着する場合に比べて、組立時の作業性が向上し、また、メンテナンス等においては、点検が必要な部分等に対応する前板のみを取り外すことができるため、メンテナンス時の作業性も向上している。
【００２５】
後板２５は、主として、ケーシング２の後面を構成する部材であり、本実施形態において、天板２１の後縁から下方向に順に配置された正面視が略長方形状の２つの金属製の板状部材から構成されている。より具体的には、後板２５は、主として、天板の後縁から下方向に延びる上部後板２５ａと、上部後板２５ａの下側に配置される下部後板２５ｂとを有している。上部後板２５ａは、天板２１の後縁から下方に延びており、上部前板２４ａと同様、その下端が吸入開口２２ａ、２３ａの上端まで達しない程度の高さ位置まで達している。そして、上部後板２５ａは、その左端が左板２２の左後側支柱部２２ｃにネジ止め等により固定されており、その右端が右板２３の右後側支柱部２３ｃにネジ止め等により固定されている。下部後板２５ｂは、上部後板２５ａの下端から下方に延びており、その下端が底板２６の後縁まで達している。そして、下部後板２５ｂは、その左端が左板２２の左後側支柱部２２ｃにネジ止め等により固定されており、その右端が右板２３の右後側支柱部２３ｃにネジ止め等により固定されている。このように、本実施形態において、後板２５は、上部後板２５ａ及び下部前板２５ｂの上下の２分割の構造になっているため、室外ユニット１の組立時に、大きな後板を左板２２及び右板２３に装着する場合に比べて、組立時の作業性が向上し、また、メンテナンス等においては、点検が必要な部分等に対応する前板のみを取り外すことができるため、メンテナンス時の作業性も向上している。また、下部後板２５ｂには、ほぼ全体に吸入開口２５ｃが形成されている。これにより、この吸入開口２５ｃからもケーシング２内に空気が吸入されるようになっている。
【００２６】
底板２６は、主として、ケーシング２の底面を構成する部材であり、本実施形態において、平面視が略長方形状の金属製の板状部材である。底板２６は、据え付け面との上下方向間にスペースが形成された状態で、左板２２及び右板２３の支柱部２２ｂ、２２ｃ、２３ｂ、２３ｃに支持されている。
（３）冷媒回路構成部品等の構成
冷媒回路構成部品である圧縮機３や熱交換器４は、底板２６に支持されている。圧縮機３は、本実施形態において、ケーシング２の平面視略中央付近に配置されている。熱交換器４は、本実施形態において、ケーシング２の平面視において、略Ｕ字形状の熱交換器パネルであり、吸入開口２２ａ、２３ａ、２５ｃに対向するように配置されている。また、熱交換器４は、底板２６の上面から上方に延びており、吸入開口２２ａ、２３ａ、２５ｃの上端とほぼ同じ高さまで達している。これにより、吸入開口２２ａ、２３ａ、２５ｃからケーシング２内に吸入された空気は、熱交換器４を通過し、この際に、熱交換器４内を流れる冷媒と熱交換を行うことになる。また、ケーシング２内には、前板２４（より具体的には、中部前板２４ｂ）に対向するように、室外ユニット１（及び、図示しない室内ユニット）の構成機器の動作を制御するための電装品が収容された電装品ボックス６が配置されている。
【００２７】
（４）室外ファン等の構成
室外ファン５は、軸流ファンであり、主として、軸流羽根車としての室外ファン用羽根車５１と、室外ファン用羽根車５１を回転駆動する室外ファン用モータ５２と有している。
室外ファン用羽根車５１は、本実施形態において、複数（ここでは、４枚）のブレード５１ａの内周部がハブ５１ｂに固定又は一体成形された構造を有するプロペラファンロータである。室外ファン５は、ケーシング２の上部において、室外ファン用羽根車５１が吹出開口２１ａに対応するように配置されている。そして、室外ファン用羽根車５１は、室外ファン用モータ５２によって回転駆動された際に、下方から空気を吸入して上方に向かって吹き出すように配置されている。室外ファン用羽根車５１は、本実施形態において、上部前板２４ａ、上部後板２５ａ、左板２２の上部（具体的には、左板２２のうち吸入開口２２ａよりも上側の部分）、及び、右板２３の上部（具体的には、右板２３のうち吸入開口２３ａよりも上側の部分）よって囲まれるように配置されている。
【００２８】
室外ファン用モータ５２は、上方に延びるシャフト５２ａによって室外ファン用羽根車５１を連結した状態で室外ファン用羽根車５１の下側に配置されており、ケーシング２内に設けられたモータ支持台２８を介してケーシング２に固定されている。モータ支持台２８は、本実施形態において、左前側支柱部２２ｂと右前側支柱部２３ｂとを繋ぐ横ステー２９ａと、左後側支柱部２２ｃと右後側支柱部２３ｃとを繋ぐ横ステー２９ｂとの前後方向間に掛け渡されるように設けられている。このモータ支持台２８は、本実施形態において、上部前板２４ａ及び上部後板２５ａの下端の高さ位置とほぼ同じ高さ位置に配置されている。
【００２９】
また、ケーシング２の上部には、室外ファン用羽根車５１の外周側を囲むようにベルマウス５３が設けられている。ベルマウス５３は、本実施形態において、略円筒形状の樹脂製の部材である。ベルマウス５３は、その上端が天板２１の吹出開口２１ａの周縁に当接しており、そこから室外ファン用羽根車５１の外周端に近づくように（すなわち、内周側に絞られながら）下方に延びた後に、室外ファン用羽根車５１の外周端から遠ざかるように（すなわち、外周側に拡がりながら）下方に延びている。そして、ベルマウス５３の下端には、本実施形態において、左板２２、右板２３、前板２４及び後板２５の内面に接する固定部５３ａが形成されており、ケーシング２に固定されている。このように、ベルマウス５３の外周側は、上部前板２４ａ、上部後板２５ａ、左板２２の上部（具体的には、左板２２のうち吸入開口２２ａよりも上側の部分）、及び、右板２３の上部（具体的には、右板２３のうち吸入開口２３ａよりも上側の部分）よって囲まれている。また、ケーシング２の平面視において、左板２２の上端、右板２３の上端、前板２４の上端、及び、後板２５の上端と、ベルマウス５３の上端との間に形成される環状の開口は、天板２１によって覆われている。そして、本実施形態の室外ユニット１では、左板２２、右板２３、前板２４及び後板２５と、ベルマウス５３との間に空間Ｓが形成されている。
【００３０】
これにより、本実施形態の室外ユニット１では、室外ファン用モータ５２で室外ファン用羽根車５１を回転駆動することにより室外ファン５の運転を開始すると、吸入開口２２ａ、２３ａ、２５ｃを通じて、ケーシング２の左面、右面及び後面（すなわち、外周面）からケーシング２内に室外空気が吸入され、このケーシング２内に吸入された空気は、熱交換器４を通過した後に、ケーシング２内を吸入開口２２ａ、２３ａ、２５ｃの上側に配置された室外ファン用羽根車５１によって昇圧されて上方に吹き出され、天板２１の吹出開口２１ａを通じてケーシング２の天面からケーシング２外に吹き出されることになる。
【００３１】
しかし、上述のような室外ファン５の運転を行う際には、室外ファン５の振動は、室外ファン用羽根車５１の外周側を囲むベルマウス５３に伝達されることになるため、室外ファン５からベルマウス５３に伝達された振動は、ベルマウス５３が音源となって、空間Ｓを伝達経路として、ベルマウス５３の外周側を囲む上部前板２４ａ、上部後板２５ａ、左板２２の上部（具体的には、左板２２のうち吸入開口２２ａよりも上側の部分）、及び、右板２３の上部（具体的には、右板２３のうち吸入開口２３ａよりも上側の部分）に伝達されて、最終的に、上部後板２５ａ、左板２２の上部（具体的には、左板２２のうち吸入開口２２ａよりも上側の部分）、及び、右板２３の上部（具体的には、右板２３のうち吸入開口２３ａよりも上側の部分）からケーシング２外に漏れるという現象が生じる。
【００３２】
これに対して、本実施形態の室外ユニット１では、ベルマウス５３の外周側を囲む上部後板２５ａ、左板２２の上部（具体的には、左板２２のうち吸入開口２２ａよりも上側の部分）、及び、右板２３の上部（具体的には、右板２３のうち吸入開口２３ａよりも上側の部分）からの音漏れを減らすために、上部後板２５ａ、左板２２の上部（具体的には、左板２２のうち吸入開口２２ａよりも上側の部分）、及び、右板２３の上部（具体的には、右板２３のうち吸入開口２３ａよりも上側の部分）とベルマウス５３との間に、多孔質材８を配置するようにしている。
【００３３】
（５）多孔質材
本実施形態において、多孔質材８は、ベルマウス５３と上部前板２４ａとの間に配置される前側多孔質材８１と、ベルマウス５３と上部後板２５ａとの間に配置される後側多孔質材８２とを有している。ここで、前側多孔質材８１及び後側多孔質材８２の材料としては、種々の材料を使用することができるが、本実施形態においては、ポリエステル繊維を含む材料を使用している。
【００３４】
これにより、室外ユニット１では、前側多孔質材８１が、室外ファン５の振動に起因する音の伝達経路である空間Ｓ（ここでは、空間Ｓのうち、ベルマウス５３と上部前板２４ａとの間に対応する部分）に配置されることになるため、ベルマウス５３から上部前板２４ａに向かって伝達される室外ファン５の振動に起因する音が、この前側多孔質材８１によって吸収される。より具体的には、ベルマウス５３から空間Ｓを介して上部前板２４ａに伝達される音は、前側多孔質材８１に入射すると、ポリエステル繊維によって形成された多数の細孔中で吸収される。これにより、上部前板２４ａ（すなわち、ケーシング２の外周板部のうちベルマウス５３の外周側に対向する部分）からの音の漏れを減らすことができる。また、後側多孔質材８２が、室外ファン５の振動に起因する音の伝達経路である空間Ｓ（ここでは、空間Ｓのうち、ベルマウス５３と上部後板２５ａとの間に対応する部分）に配置されることになるため、ベルマウス５３から上部後板２５ａに向かって伝達される室外ファン５の振動に起因する音が、この後側多孔質材８２によって吸収される。より具体的には、ベルマウス５３から空間Ｓを介して上部後板２５ａに伝達される音は、後側多孔質材８２に入射すると、ポリエステル繊維によって形成された多数の細孔中で音が吸収される。これにより、上部後板２５ａ（すなわち、ケーシング２の外周板部のうちベルマウス５３の外周側に対向する部分）からの音の漏れを減らすことができる。また、音の漏れが生じた際に目立つ前板２４や後板２５からの音の漏れを防ぐことができる。特に、室外ユニット１を複数台並べて配置する等のように、左板２２や右板２３からの音の漏れが少なくなるように室外ユニット１が配置される場合には、前板２４や後板２５からの音の漏れを効果的に防ぐことができる。また、本実施形態の室外ユニット１のように、ベルマウス５３の下端がケーシング２に固定され、かつ、上端がケーシング２に固定されていない場合には、ベルマウス５３の上端がケーシング２に固定されている場合に比べて、若干ではあるが、騒音レベルが高くなる傾向にあるため、特に、音の漏れを防ぐメリットが大きい。
【００３５】
また、本実施形態において、前側多孔質材８１は、上部後板２５ａの内面（すなわち、ベルマウス５３側の面）に装着されており、後側多孔質材８２は、上部後板２５ａの内面（すなわち、ベルマウス５３側の面）に装着されている。
これにより、室外ユニット１では、室外ユニット１の組立前から、ケーシング２の外周板部を構成する部品としての上部前板２４ａ、上部後板２５ａに多孔質材８１、８２をそれぞれ装着しておくことができるようになり、室外ユニット１の組立性が向上する。特に、本実施形態のように、前板２４や後板２５が上下分割構造である場合には、上部前板２４ａや上部後板２５ａが比較的小型の部材になるため、組立時やメンテナンス時における取り扱いも容易である。また、ベルマウス５３から空間Ｓを介して上部前板２４ａや上部後板２５ａに伝達する音としては、ベルマウス５３から空間Ｓのみを介して上部前板２４ａや上部後板２５ａに伝達する音だけでなく、ベルマウス５３から空間Ｓを介して天板２１に到達し、再び空間Ｓに反射した後に上部前板２４ａや上部後板２５ａに伝達する音もあるが、このような音についても確実に吸収することができる。
【００３６】
また、本実施形態において、前側多孔質材８１は、上部前板２４ａのうち室外ファン用羽根車５１の軸中心Ｏからの距離が最も短い部分に対応する位置（ここでは、ケーシング２の平面視において、上部前板２４ａの左右方向の中央位置である点Ｃ）に少なくとも配置されている。より具体的には、ケーシング２の平面視において、上部前板２４ａのうち室外ファン用羽根車５１の軸中心Ｏからの距離Ｌが最も短い部分（ここでは、点Ｃ）と室外ファン用羽根車５１の最外周端（ここでは、点Ｏと点Ｃとを結ぶ線上に位置する点Ｄ）との距離を隙間長さＬとすると、室外ファン用羽根車５１の外半径Ｒに対する隙間長さＬの比Ｌ／Ｒは、０．１５以下である。また、後側多孔質材８２についても、上部後板２５ａのうち室外ファン用羽根車５１の軸中心Ｏからの距離が最も短い部分に対応する位置（ここでは、ケーシング２の平面視において、上部後板２５ａの左右方向の中央位置である点Ｅ）に少なくとも配置されている。より具体的には、ケーシング２の平面視において、上部後板２５ａのうち室外ファン用羽根車５１の軸中心Ｏからの距離Ｌが最も短い部分（ここでは、点Ｅ）と室外ファン用羽根車５１の最外周端（ここでは、点Ｏと点Ｅとを結ぶ線上に位置する点Ｆ）との距離を隙間長さＬとすると、室外ファン用羽根車５１の外半径Ｒに対する隙間長さＬの比Ｌ／Ｒは、０．１５以下である。
【００３７】
これにより、室外ユニット１は、前側多孔質材８１がベルマウス５３と上部前板２４ａとの隙間が最も小さい部分に少なくとも配置されており、また、後側多孔質材８２がベルマウス５３と上部後板２５ａとの隙間が最も小さい部分に少なくとも配置されているため、音の漏れを効果的にかつ確実に防ぐことができる。特に、本実施形態の室外ユニット１のように、室外ファン用羽根車５１の外半径Ｒに対する隙間長さＬの比Ｌ／Ｒが０．１５以下という、ベルマウス５３と上部前板２４ａとの隙間が非常に小さい部分を有している場合やベルマウス５３と上部後板２５ａとの隙間が非常に小さい部分を有している場合であっても、前側多孔質材８１及び後側多孔質材８２が、隙間長さの比Ｌ／Ｒが０．１５以下の部分に少なくとも配置されているため、音の漏れを防ぐという点では特に有利である。そして、ベルマウス５３と上部前板２４ａとの隙間が非常に小さい部分を有している場合やベルマウス５３と上部後板２５ａとの隙間が非常に小さい部分を有している場合であっても、音の漏れを防ぐことができるため、室外ユニット１の平面サイズを小さくすることも可能になる。
【００３８】
また、本実施形態において、前側多孔質材８１は、ケーシング２の平面視において、前板２４、左板２２、右板２３及び後板２５のうち前側多孔質材８１が装着されるもの（ここでは、前板２４）の内面（すなわち、ベルマウス５３側の面）の７０％以上を覆っている。また、後側多孔質材８２は、ケーシング２の平面視において、前板２４、左板２２、右板２３及び後板２５のうち後側多孔質材８２が装着されるもの（ここでは、後板２５）の内面（すなわち、ベルマウス５３側の面）の７０％以上を覆っている。
【００３９】
これにより、室外ユニット１では、前側多孔質材８１及び後側多孔質材８２が装着された板（ここでは、前板２４及び後板２５）からの音の漏れを確実に防ぐことができる。
（６）他の実施形態
以上、本発明の実施形態及びその変形例について図面に基づいて説明したが、具体的な構成は、これらの実施形態に限られるものではなく、発明の要旨を逸脱しない範囲で変更可能である。
【００４０】
（Ａ）
上述の実施形態では、図４に示されるように、ベルマウス５３と前板２４（具体的には、上部前板２４ａ）との間、及び、ベルマウス５３と後板２５（具体的には、上部後板２５ａ）との間の両方に、多孔質材８（具体的には、前側多孔質材８１及び後側多孔質材８２）を配置しているが、ベルマウス５３と前板２４（具体的には、上部前板２４ａ）との間、又は、ベルマウス５３と後板２５（具体的には、上部後板２５ａ）との間の一方のみに、多孔質材８（具体的には、前側多孔質材８１及び後側多孔質材８２）を配置するようにしてもよい。
【００４１】
（Ｂ）
上述の実施形態では、図４に示されるように、ベルマウス５３と前板２４（具体的には、上部前板２４ａ）との間、及び、ベルマウス５３と後板２５（具体的には、上部後板２５ａ）との間に、多孔質材８（具体的には、前側多孔質材８１及び後側多孔質材８２）を配置しているが、図７に示されるように、ベルマウス５３と左板２２（具体的には、左板２２のうち吸入開口２２ａよりも上側の部分）との間やベルマウス５３と右板２３（具体的には、右板２３のうち吸入開口２３ａよりも上側の部分）との間にも、多孔質材８（具体的には、左側多孔質材８３及び右側多孔質材８４）を配置するようにしてもよい。
【００４２】
これにより、前側多孔質材８１及び後側多孔質材８２と同様に、左側多孔質材８３が、室外ファン５の振動に起因する音の伝達経路である空間Ｓ（ここでは、空間Ｓのうち、ベルマウス５３と左板２２の上部との間に対応する部分）に配置されることになるため、ベルマウス５３から左板２２の上部に向かって伝達される室外ファン５の振動に起因する音が、この左側多孔質材８３によって吸収され、左板２２の上部（すなわち、ケーシング２の外周板部のうちベルマウス５３の外周側に対向する部分）からの音の漏れを減らすことができる。また、上述の実施形態と同様に、右側多孔質材８４が、室外ファン５の振動に起因する音の伝達経路である空間Ｓ（ここでは、空間Ｓのうち、ベルマウス５３と左板２３の上部との間に対応する部分）に配置されることになるため、ベルマウス５３から右板２３の上部に向かって伝達される室外ファン５の振動に起因する音が、この左側多孔質材８４によって吸収され、右板２３の上部（すなわち、ケーシング２の外周板部のうちベルマウス５３の外周側に対向する部分）からの音の漏れを減らすことができる。
【産業上の利用可能性】
【００４３】
本発明を利用すれば、下方から空気を吸入して上方に向かって空気を吹き出す軸流ファンを備えており、ベルマウスの外周側が外周板部によって囲まれた構成を有する上吹きタイプの室外ユニットにおいて、外周板部のうちベルマウスの外周側に対向する部分からの音の漏れを減らすことができる。
【図面の簡単な説明】
【００４４】
【図１】本発明の一実施形態にかかる室外ユニット外観斜視図（ファングリルを取り除いた状態）である。
【図２】ファングリル、天板、前板、室外ファン用羽根車及び冷媒回路部品の一部を取り除いた状態における室外ユニットの斜視図である。
【図３】右板を取り除いた状態おける室外ユニットの側面図である。
【図４】ファングリル及び天板を取り除いた状態における室外ユニットの平面図である。
【図５】図４のＡ−Ａ断面図であって、天板、ベルマウス及び上部前板を示す図である。
【図６】図４のＢ−Ｂ断面図であって、天板、ベルマウス及び上部後板を示す図である。
【図７】他の実施形態にかかる室外ユニットを示す図であって、図４に相当する図である。
【符号の説明】
【００４５】
１  室外ユニット
２  ケーシング
５  室外ファン（軸流ファン）
８  多孔質材
２１  天板（天板部）
２２  左板（外周板部）
２３  右板（外周板部）
２４  前板（外周板部）
２５  後板（外周板部）
２１ａ  吹出開口
２２ａ、２３ａ、２５ｃ  吸入開口
５１  室外ファン用羽根車（軸流羽根車）
５３  ベルマウス
【図１】
2007263386.tif 000003
【図２】
2007263386.tif 000004
【図３】
2007263386.tif 000005
【図４】
2007263386.tif 000006
【図５】
2007263386.tif 000007
【図６】
2007263386.tif 000008
【図７】
2007263386.tif 000009